(57)【要約】【課題】ＡＭアンテナへの携帯機器自身からのノイズが侵入しＡＭ信号の受信が難しかった。【解決手段】本体１と、この本体１に設けられた制御部１６と、この制御部１６に接続されたドライバ３３と、このドライバ３３に接続された表示部４とを備え、前記本体１内にＡＭ受信器２０を設けるとともに、このＡＭ受信器２０に接続されたＡＭアンテナ８は前記本体１に少なくともその主要部がこの本体１の投影面積外に実質的に出没自在に設けられたものである。これにより、ＡＭアンテナ８への携帯機器自身からのノイズの侵入を抑圧することができる。【選択図】図１
2006050305.tif 000002
【特許請求の範囲】
【請求項１】
本体と、この本体に設けられた制御部と、この制御部に接続されたドライバと、このドライバに接続された表示部とを備え、前記本体内にＡＭ受信器を設けるとともに、このＡＭ受信器に接続されたＡＭアンテナは前記本体に少なくともその主要部がこの本体の投影面積外に実質的に出没自在に設けられた携帯機器。
【請求項２】
ドライバと表示部との距離は前記ドライバと制御部との距離より近接して設けられた請求項１に記載の携帯機器。
【請求項３】
ＡＭアンテナと可変コンデンサとを並列接続して同調アンテナを形成した請求項１に記載の携帯機器。
【請求項４】
ＡＭ受信器の出力にイヤホンを用い、このイヤホンのリード線で主に電界波を受信するアンテナを形成した請求項１に記載の携帯機器。
【請求項５】
本体は、第１の可動部により重合状態と非重合状態が形成できる第１、第２のケースから成り、前記第１のケースに入力部が設けられるとともに、前記第２のケースに表示部を設け、前記第１或いは第２のケースにおいてＡＭアンテナが部材に装着されたＡＭアンテナ部に近接するケース内にＡＭ受信器が設けられた請求項１に記載の携帯機器。
【請求項６】
第２のケースの表示部側には、ＡＭアンテナが部材に装着されたＡＭアンテナ部が、第１の可動部と反対側に更に第２の可動部を介して開閉自在に設けられた請求項５に記載の携帯機器。
【請求項７】
少なくともＡＭアンテナ部の中央部は透明部材で形成された請求項６に記載の携帯機器。
【請求項８】
第２のケースの表示部と反対側には、第１の可動部と反対側に更に第３の可動部を介して開閉自在なＡＭアンテナ部が設けられた請求項５に記載の携帯機器。
【請求項９】
ＡＭアンテナ部の中央部に窓が設けられた請求項８に記載の携帯機器。
【請求項１０】
ＡＭアンテナ部を第２のケースに対して閉成したとき、ＡＭアンテナに対向する前記第２のケースにフェライトを敷設した請求項８に記載の携帯機器。
【請求項１１】
表示部とフェライトとの間にシールド板を介在させた請求項１０に記載の携帯機器。
【請求項１２】
ＡＭアンテナを形成する巻線の内側近傍には、フェライトを敷設した請求項１に記載の携帯機器。
【請求項１３】
第１のケースの入力部側には、第１の可動部と反対側に更に第４の可動部を介して開閉自在なＡＭアンテナ部が設けられた請求項５に記載の携帯機器。
【請求項１４】
第１のケースには、第１の可動部と反対側にスロットを設け、このスロットに挿抜自在なＡＭアンテナ部が設けられた請求項５に記載の携帯機器。
【請求項１５】
第１のケースの入力部と反対側には、第１の可動部の反対側に平面方向へ展開自在なＡＭアンテナ部が設けられた請求項５に記載の携帯機器。
【請求項１６】
第１のケースには、第１の可動部の反対側に摺動自在なＡＭアンテナ部が設けられた請求項５に記載の携帯機器。
【請求項１７】
本体に設けられた携帯機器用のアンテナの先端にＡＭアンテナが設けられた請求項１に記載の携帯機器。
【請求項１８】
本体に設けられた携帯機器のストラップの先端にＡＭアンテナが設けられた請求項５に記載の携帯機器。
【請求項１９】
第１或いは第２のケースにＴＶ受信器を設けるとともに、ＡＭアンテナ部にＴＶ用アンテナを併設した請求項５に記載の携帯機器。
【発明の詳細な説明】
【技術分野】
【０００１】
本発明は、本体内にＡＭ受信器が設けられた携帯機器に関するものである。
【背景技術】
【０００２】
従来、携帯機器は、本体に設けられた制御部と、この制御部に接続されたドライバと、このドライバに接続された表示部とを備えたものであった。
【０００３】
即ち、携帯機器における表示部は、制御部に接続されたドライバによって映像表示が行われるようになっている。
【０００４】
なお、この出願の発明に関連する先行技術文献情報としては、例えば、特許文献１が知られている。
【特許文献１】特開平８−１６８５９号公報
【発明の開示】
【発明が解決しようとする課題】
【０００５】
上記従来の携帯機器でＡＭ信号を受信するために、この本体内にＡＭ受信器とＡＭアンテナを設けることが考えられる。しかしながらこのような携帯機器において、単にＡＭ受信器とＡＭアンテナを設けただけではこのＡＭアンテナには携帯機器自身からのノイズが侵入し、適切なＡＭ信号の受信ができなくなるという問題があった。
【０００６】
携帯機器自身からのノイズとして、種々考えられるがその中でも最も大きいノイズ発生源として制御部とドライバとこれを接続する接続線を代表として考える。
【０００７】
即ち、表示部をもったこのような携帯機器は、上述のごとく制御部に接続されたドライバを備えており、この制御部とドライバの接続線からの信号或いはその高調波がＡＭアンテナに侵入した場合には、本来受信しようとするＡＭ信号に対してそれはノイズ成分（この他にもノイズ発生源は考えられるが、何れにしても携帯機器本体内で発生するノイズ成分）となり、その結果としてＡＭ信号の受信ができなくなるという問題があった。
【０００８】
そこで本発明は、ＡＭアンテナへの携帯機器自身からのノイズの侵入を抑圧することを目的としたものである。
【課題を解決するための手段】
【０００９】
そしてこの目的を達成するために本発明は、本体内にＡＭ受信器を設けるとともに、このＡＭ受信器に接続されたＡＭアンテナは前記本体に少なくともその主要部がこの本体の投影面積外に実質的に出没自在に設けられたものである。これにより、所期の目的を達成することができる。
【発明の効果】
【００１０】
以上のように本発明は、本体内にＡＭ受信器を設けるとともに、このＡＭ受信器に接続されたＡＭアンテナは前記本体に少なくともその主要部がこの本体の投影面積外に実質的に出没自在に設けられたものである。
【００１１】
即ち、本発明においては、ＡＭアンテナを本体に対して出没自在に設けているので、ＡＭ受信時にはこのＡＭアンテナを本体外に引き出すことができる。即ち、このようにＡＭアンテナの主要部を本体の投影面積外に出した場合には、本体内に設けられた制御部とドライバの接続線或いはドライバと表示部の接続線からのノイズ等がこのＡＭアンテナに侵入し難くなり、その結果として、適切なＡＭ信号の受信ができるようになる。
【発明を実施するための最良の形態】
【００１２】
（実施の形態１）
以下、本発明の実施の形態について説明する。図１において、１は携帯電話（携帯機器の一例として用いた）の本体を示し、この本体１には、入力部２が設けられたケース３と、表示部４が設けられたケース５とから構成されている。そして、このケース３の上辺とケース５の下辺はヒンジ部（可動部の一例として用いた）６を介して、この図１に示すように重合状態、非重合状態を形成する第１、第２のケース３，５が開閉自在に連結されている。
【００１３】
なお、第１、第２のケース３，５の何れか一方を、第１、第２のケース３，５の側面部に設けられたレールを介してスライドさせることによって、重合状態、非重合状態を形成するようにしても良い。更に、第１、第２のケース３，５の何れか一方を水平方向に開閉することによって、重合状態、非重合状態を形成しても良い。
【００１４】
また、ケース５の上辺には絶縁性を有する透明板７が設けられ、この透明板７の外周部分には巻線によって形成されたＡＭアンテナ８が設けられてＡＭアンテナ部８ａを形成している。即ち、透明板７は、この図１における下辺側において、ヒンジ部９でケース５の表示部４側上辺部分において、開閉自在に連結されており、後述するが、ＡＭ信号を受信する場合には、図１に示すごとく透明板７は開放され、ケース５外へと展開されるようになっている。
【００１５】
また、ＡＭ信号を受信しないときには、この透明板７はヒンジ部９を支点として表示部４上に閉成されるようになっている。この場合においてもこの透明板７は透明体であるので、表示部４の表示内容を確認することができる。
【００１６】
図２は、この携帯電話のブロック図である。図２において、１０は、ケース３内に設けられた携帯電話用のアンテナであり、このアンテナ１０はアンテナスイッチ１１を介して受信部１２と送信部１３に接続されている。また、受信部１２には復号化回路１４が接続されており、この復号化回路１４の出力はスピーカ１５に接続されている。
【００１７】
また、復号化回路１４の出力は制御部１６に接続されており、この制御部１６から接続線３４を介してドライバ３３に接続されている。そして、このドライバ３３の出力は接続線３４ａを介して表示部４に接続されている。そして、この制御部１６とドライバ３３とは近接して配置されるとともに、ドライバ３３はケース５内の表示部４の裏面に形成されている。これは、制御部１６とドライバ３３を接続する接続線３４或いはドライバ３３と表示部４とを接続する接続線３４ａがアンテナとなり、大きな輻射ノイズをＡＭアンテナ８に対して放射することを防ぐためである。
【００１８】
２は、キーボード等で形成された入力部であり、この入力部２は制御部１６を介して符号化回路１７に接続されている。また、この符号化回路１７にはマイクロフォン１８も接続されている。制御部１６の出力はＰＬＬ回路１９にも接続されており、このＰＬＬ回路１９では受信部１２や送信部１３に供給する発振器の発振周波数を制御している。
【００１９】
以上のように構成されているので、受信した内容はスピーカ１５で音声として聴取できるとともに、表示部４で映像として確認できる。また、送信はマイクロフォン１８或いは入力部２から入力された信号が符号化回路１７と送信部１３とアンテナスイッチ１１を介してアンテナ１０から送信される。
【００２０】
また、２０はＡＭ受信器であり、このＡＭ受信器２０はケース３内に設けられている。そしてこのＡＭ受信器２０には図１で示したＡＭアンテナ８が接続されている。このＡＭ受信器２０は、ＡＭアンテナ８の近傍のケース内に配置することが好ましい。これは、ＡＭアンテナ８とＡＭ受信器２０との距離を短くして、ＡＭ信号に対するノイズを軽減させるためである。しかし、本実施の形態では、ケース５には、表示部４と後述するドライバ３３、接続線３４が収納されているので、ＡＭ受信器２０はケース３に格納し、ＡＭアンテナ８から受信器２０へはシールド線で接続している。
【００２１】
このようにして、ＡＭアンテナ８で受信したＡＭ信号は、ＡＭ受信器２０を介してスピーカ１５に出力されるようになっている。なお、このＡＭアンテナ８の近傍には、可変コンデンサ２１が並列接続されており、この可変コンデンサ２１の静電容量をＰＬＬ３２の出力信号で可変することにより選局できるようになっている。
【００２２】
ここで、可変コンデンサ２１としてバリキャップコンデンサを用いている。なお、このＡＭアンテナ８のコイルと可変コンデンサ２１とで同調アンテナを形成することにより、希望信号をこの同調アンテナで同調できる。従って、ＡＭアンテナ８の感度を向上できるとともに、携帯機器自身からのノイズ成分を抑圧できる。なお、可変コンデンサ２１を並列接続しない場合もある。この場合には同調アンテナとならず、広帯域な選択度特性を有することになる。
【００２３】
さて、このようなＡＭ受信器２０において、問題となるのは、このブロックの中において制御部１６からドライバ３３に向かって出力される信号である。即ち、制御部１６とドライバ３３とを接続する接続線３４が携帯電話のケース内におけるアンテナとなり、表示部４を駆動する信号が輻射ノイズとして放射される。この接続線３４からの信号或いはその高調波がＡＭアンテナ８から侵入すると、ＡＭ受信に対して大きなノイズになってしまう。なお、ドライバ３３と表示部４とを接続する接続線３４ａも同様に輻射ノイズを発生するが、この接続線３４ａは接続線３４に比べて配線長が短い。従って接続線３４が支配的となる。
【００２４】
そこで、本実施の形態１では図１に示すごとくＡＭアンテナ部８ａをケース５から開放し、それによってＡＭアンテナ部８ａを表示部４外に配置された状態とする。このようにすれば、上述した接続線３４からの信号或いはその高調波はＡＭアンテナ８に侵入し難くなり、その結果として、ＡＭ信号の適切な受信が行えるようになるのである。
【００２５】
なお、ここでノイズ源は、接続線３４，３４ａのみに限ることはない。例えば、制御部１６を駆動するためのクロック信号や変調用や復調用の信号等も含まれている。しかし、ドライバ３３に接続された接続線３４から出力される信号がＡＭアンテナ８に対する最も大きなノイズ源となると考えられるので、接続線３４をこれらのノイズ源の代表として用いている。つまり、このようなＡＭ受信器２０において感度良くＡＭ信号を受信するには、ＡＭアンテナ８を本体１から離すことが重要なのである。
【００２６】
図２において、２２はイヤホンであり、このイヤホン２２のリード線２３の一方のリード線２３ａはインダクタ２４（約５００μＨ）を介してスピーカ１５の端子に接続されるとともに他方のリード線２３ｂはグランドに接続されている。また、インダクタ２４とリード線２３ａの接続点からはコンデンサ２５（約１００ｎＦ）を介してＡＭアンテナ８に接続されている。
【００２７】
このようにイヤホン２２を設けることにより、音声はインダクタ２４を介してイヤホン２２でも聴取することができる。また、このリード線２３ａはコンデンサ２５を介してＡＭ信号のアンテナとしても働く。つまり、ＡＭ信号の電波（５００ＫＨｚ〜１６００ＫＨｚ程度）の電磁波成分は主にＡＭアンテナ８で受信し、電界波成分はリード線２３ａで主に受信することになる。このように、イヤホン２２を用いることにより、更に感度良く受信することができる。
【００２８】
また、ＡＭ受信器２０の内部は以下のようになっている。即ち、ＡＭアンテナ部８ａの出力は高周波増幅器２６に接続され、この高周波増幅器２６の出力は混合器２７の一方の入力に接続されるとともに他方の入力には局部発振器２８の出力が接続されている。この混合器２７の出力は４５５ＫＨｚを通過させるバンドパスフィルタ２９を介して検波器３０に入力される。この検波器３０の出力は増幅器３１を介してスピーカ１５に接続されている。また、制御部１６の出力はＰＬＬ回路３２に接続されており、このＰＬＬ回路３２の出力は、局部発振器２８とＡＭアンテナ部８ａで同調アンテナを形成する可変コンデンサ２１に接続されている。
【００２９】
ＡＭ受信器２０は以上のように構成されているので、入力部２で希望ＡＭ信号に該当するキー操作を行う。このキー操作は、ケース５の表示部４と反対面に設けられた補助キーにて操作が可能である。なお、その詳細については、実施の形態２で述べる。
【００３０】
これにより、制御部１６はＰＬＬ回路３２を制御することになり、局部発振器２８から出力される周波数と、同調アンテナを形成する可変コンデンサ２１の静電容量とが変化し、希望するＡＭ信号が選択されるわけである。そして、その選択された信号は検波器３０で検波されて、増幅器３１で増幅された後、スピーカ１５で聴取できるものである。
【００３１】
なお、このＡＭ受信器２０は入力部２が装着されたケース３に収納されており、表示部４のドライバ３３と接続線３４が収納されたケース５から離れている。従って、接続線３４からの信号がノイズとしてＡＭ受信器２０に入り難くなっている。また、ＡＭアンテナ部８ａとＡＭ受信器２０との間はシールド線で接続することができる。これにより、たとえＡＭ信号に対するノイズ源の近傍を通過しても、その影響を少なくできる。
【００３２】
（実施の形態２）
図３は実施の形態２における携帯機器の斜視図である。なお、実施の形態１と同じものについては、同一符号を付して説明を簡略化している。
【００３３】
図３において、３５はＡＭアンテナ８が装着されたＡＭアンテナ部であり、このＡＭアンテナ部３５は、表示部４が設けられたケース５の裏面側に開閉自在に設けられたものである。即ち、ケース３とケース５とを開閉するヒンジ部６があり、このＡＭアンテナ部３５は、ケース５においてヒンジ部６の反対側にヒンジ部３６を介して開閉自在に設けられたものである。
【００３４】
３７はＡＭアンテナ部３５の中央部に設けられた孔である。従って、ＡＭアンテナ部３５を閉成した状態においても、この孔３７を介してケース５の裏面に設けられた補助表示部３８の内容の確認と、補助キー２ａにより携帯機器の操作をすることができる。例えば、ＡＭ受信時においては、ケース５を開放した場合においても補助キー２ａにより受信チャンネルの選局および音量の調整ができる。この補助キー２ａによる操作は、他の実施の形態においても同様に可能である。
【００３５】
また、このＡＭアンテナ部３５を開放した状態でポケット等に挿入することもできる。この場合、ＡＭアンテナ部３５は、表示部４等が設けられたケース５から離れるので、表示部４を駆動するドライバ３３の接続線３４から遠ざけることができる。従って、接続線３４の信号がＡＭ受信器２０のノイズとして侵入し難くなっている。
【００３６】
３９はＡＭアンテナ８の内側近傍に設けられたフェライト（酸化第二鉄を主原料とする磁性酸化物）であり、ＡＭアンテナ８のインダクタを実効的に大きくできる。これにより、ＡＭアンテナ８の受信感度を向上させている。また、３９ａは、ケース５の裏面側であって、ＡＭアンテナ８に対向する位置に敷設されたフェライトである。このように、ＡＭアンテナ８の内側近傍にフェライト３９を設けることによる効果は、他の実施の形態においても同様である。
【００３７】
また、表示部４のドライバ３３とフェライト３９ａとの間にシールド材を設けておけば、ドライバ３３から発生する信号のＡＭアンテナ部３５へ侵入を減衰させることができる。この場合、ＡＭアンテナ部３５のＡＭアンテナ８とフェライト間の距離は、フェライトとシールド板との距離よりも大きくしておくことが、ノイズの侵入を抑制する上で好ましい。
【００３８】
また、ＡＭアンテナ部３５を構成する基板に多層基板を用いて、この層内においてインナービアで接続しながらパターンでＡＭアンテナを構成することもできる。この場合、巻線パターンの巻回数を多く取ることができるので、ＡＭアンテナ８の感度を向上させることができる。
【００３９】
図４はケース５をケース３に閉成したときの斜視図である。このようにＡＭアンテナ部３５を閉成した状態でも、補助表示部３８を確認することができる。
【００４０】
また、ケース５の裏面側にフェライト３９ａを敷設しているので、ＡＭアンテナ部３５を閉成した状態でも、ＡＭ受信を楽しむことができる。
【００４１】
（実施の形態３）
図５は実施の形態３における携帯機器の斜視図である。なお、実施の形態１と同じものについては、同一符号を付して説明を簡略化している。
【００４２】
図５において、４１はＡＭアンテナ８が装着されたＡＭアンテナ部であり、このＡＭアンテナ８は、ＡＭアンテナ部４１を閉成した場合に入力部２側になるように配置されている。また、このＡＭアンテナ部４１は、入力部２が設けられたケース３に開閉自在に設けられたものである。即ち、ケース３とケース５とを開閉するヒンジ部６と反対の辺のケース３の入力部２側にヒンジ部４２を介して開閉自在に連結されている。
【００４３】
４３，４４はＡＭアンテナ部４１の中央部に設けられた孔である。従って、ＡＭアンテナ部４１を閉成した状態においても、この孔４３，４４を介してケース３に設けられた入力部２を操作することができる。このように本実施の形態では、ＡＭアンテナ部４１を開放すると、表示部４からの距離が大きくなり、表示部４を駆動するドライバ３３の接続線３４からＡＭアンテナ８を遠ざけることができる。従って、接続線３４の信号がＡＭ受信器２０のノイズとして侵入し難くなっている。
【００４４】
４５は、ＡＭアンテナ部４１のＡＭアンテナ８と反対面に設けられたフェライトであり、ＡＭアンテナ８に対向させて設けている。これにより、ＡＭアンテナ部４１が本体１に閉成時においても、ＡＭアンテナ８は、ケース５からのノイズによる影響を防止できる。
【００４５】
なお、ＡＭアンテナ部４１をケース３から開放したままで、ケース３とケース５を閉成した状態とできる。この場合でも、ＡＭアンテナ部４１は、表示部４等が設けられたケース５から離れるので、表示部４を駆動するドライバ３３の接続線３４から遠ざけることができる。従って、接続線３４の信号がＡＭ受信器２０のノイズとして侵入し難くなっている。。
【００４６】
このように、ＡＭアンテナ部４１をケース３から開放したままで、ケース３とケース５を閉成した状態では、携帯機器の長手方向にＡＭアンテナ部４１が伸びることになる。この状態の携帯機器は、手で持たなくても胸ポケット等に収納できるので、例えば電車内でＡＭ放送を楽しむことができる。
【００４７】
このように、ＡＭアンテナ部を本体から離した状態で胸ポケット等に収納してＡＭ放送を楽しむことは、他の実施の形態においても同様である。
【００４８】
（実施の形態４）
図６は実施の形態４における携帯機器の斜視図である。なお、実施の形態１と同じものについては、同一符号を付して説明を簡略化している。
【００４９】
図６において、４６はＡＭアンテナ８が装着されたＡＭアンテナ部であり、このＡＭアンテナ部４６の入力部２側に配置されている。このＡＭアンテナ部４６は、入力部２が設けられたケース３に設けられたスロット４７に挿抜自在に設けられたものである。即ち、ケース３とケース５とを開閉するヒンジ部６と反対側のケース３の辺にスロット４７を設けたものである。
【００５０】
このように本実施の形態では、ＡＭアンテナ部４６を抜き出すと、表示部４からの距離が大きくなり、表示部４を駆動するドライバ３３の接続線３４から遠ざけることができる。従って、接続線３４の信号がＡＭ受信器２０のノイズとして侵入し難くなっている。。
【００５１】
４５は、ＡＭアンテナ部４６のＡＭアンテナ８と反対面に設けられたフェライトであり、ＡＭアンテナ８に対向させて設けている。これにより、ＡＭアンテナ部４６が本体１に閉成時においても、ＡＭアンテナ８は、ケース５からのノイズによる影響を防止できる。
【００５２】
また、このＡＭアンテナ部４６を挿入した状態では小型化された携帯機器が実現できる。また、このＡＭアンテナ部４６内にＦＭアンテナやＴＶアンテナを併設するとともにケース３，５内にＦＭ受信器やテレビ受信器を格納しておけば、この携帯機器でＦＭ放送やテレビ放送を楽しむことができる。なお、これは、実施の形態４に限ることは無く他の実施の形態についても同様である。
【００５３】
（実施の形態５）
図７は実施の形態５における携帯機器の斜視図である。なお、実施の形態１と同じものについては、同一符号を付して説明を簡略化している。
【００５４】
図７において、５１はＡＭアンテナ８が装着されたＡＭアンテナ部であり、このＡＭアンテナ部５１は、入力部２が設けられたケース３の裏面に平面方向に展開自在に設けられたものである。即ち、ケース３とケース５とを開閉するヒンジ部６と反対側のケース３の裏面に支点５２を中心に水平方向に展開自在に連結されたものである。
【００５５】
このように本実施の形態では、ＡＭアンテナ部５１を５３方向に展開すると、表示部４からの距離が大きくなり、表示部４を駆動するドライバ３３の接続線３４から遠ざけることができる。従って、接続線３４の信号がＡＭ受信器２０のノイズとして侵入し難くなっている。
【００５６】
また、このＡＭアンテナ部５１を５４方向に回動して、ケース３の裏面に合わせた状態にすると小型化された携帯機器が実現できるものである。
【００５７】
（実施の形態６）
図８は実施の形態６における携帯機器の斜視図である。なお、実施の形態１と同じものについては、同一符号を付して説明を簡略化している。
【００５８】
図８において、５５はＡＭアンテナ８が装着されたＡＭアンテナ部であり、このＡＭアンテナ部５５は、入力部２が設けられたケース３に設けられており、ケース３の裏面に形成された凹部（又はスロット）５６に摺動自在（又は滑動自在）に設けられたものである。即ち、ケース３とケース５とを開閉するヒンジ部６と反対側のケース３の辺に凹部５６を設けたものである。なお、このＡＭアンテナ８はフェライト芯５７にコイル５８を巻回して形成したものである。従って、小型で高感度のＡＭアンテナが実現できる。なお、本実施の形態におけるフェライト芯５７は、直径５ｍｍであって、長さが２ｃｍの円柱形状の材料を用いた。
【００５９】
このように本実施の形態では、ＡＭアンテナ部５５を抜き出すと、表示部４からの距離が大きくなり、表示部４を駆動するドライバ３３の接続線３４から遠ざけることができる。従って、接続線３４の信号がＡＭ受信器２０のノイズとして侵入し難くなっている。また、このＡＭアンテナ部５５の中央部５９を貫通しておけば、この中央部５９に装飾物等を繋ぐことができる。なお、このＡＭアンテナ部５５の信号は、中央部５９を形成する脚６０内をシールド線でＡＭ受信器２０へ導かれる。
【００６０】
また、このＡＭアンテナ部５５をケース３内に挿入すると小型化された携帯機器が実現できる。
【００６１】
（実施の形態７）
図９は実施の形態７における携帯機器の斜視図である。なお、実施の形態１と同じものについては、同一符号を付して説明を簡略化している。
【００６２】
図９において、６１は携帯電話用のアンテナ１０の先端にＡＭアンテナ８が設けられたＡＭアンテナ部であり、このＡＭアンテナ部６１は、ケース５に携帯電話用に設けられたアンテナ１０の先端部に設けられており、このアンテナ１０と共に摺動自在に挿抜できるものである。このＡＭアンテナ部６１はフェライト芯５７にコイル５８を巻回して形成したものである。従って、小型で高感度のＡＭアンテナ８が実現できる。
【００６３】
このように本実施の形態では、ＡＭアンテナ部６１を抜き出すと、表示部４からの距離が大きくなり、表示部４を駆動するドライバ３３の接続線３４から遠ざけることができる。従って、接続線３４の信号をＡＭ受信器２０のノイズとして侵入し難くなっている。なお、このＡＭアンテナ部６１の信号は、アンテナ１０の内部をシールド線でＡＭ受信器２０へ導かれている。また、このＡＭアンテナ部６１は携帯電話用のアンテナ１０の先端部に形成されているので、夫々別に設ける必要はなく外見上のデザインが良好となる。
【００６４】
なお、ＡＭアンテナ部６１をケース３から抜き出した状態のままで、胸ポケット等に収納できるので、例えば電車内でＡＭ放送を楽しむことができる。
【００６５】
このように、ＡＭアンテナ部を本体から離した状態で胸ポケット等に収納してＡＭ放送を楽しむことは、他の実施の形態においても同様である。
【００６６】
（実施の形態８）
図１０は実施の形態８における携帯機器の斜視図である。なお、実施の形態１と同じものについては、同一符号を付して説明を簡略化している。
【００６７】
図１０において、６５は携帯電話のストラップ６６先端の止め具６７内にＡＭアンテナ８が設けられたＡＭアンテナ部であり、このＡＭアンテナ部６５内に設けられたＡＭアンテナ８はフェライト芯５７にコイル５８を巻回して形成したものである。従って、小型で高感度のＡＭアンテナ８が実現できる。
【００６８】
このように本実施の形態では、ＡＭアンテナ部６５はストラップ６６の先端の止め具６７内に設けられているので、表示部４からの距離が大きくなり、表示部４を駆動するドライバ３３の接続線３４から遠ざけることができる。従って、接続線３４の信号がＡＭ受信器２０のノイズとして侵入し難くなっている。なお、このＡＭアンテナ部６５の信号は、ストラップ６６の内部をシールド線でＡＭ受信器２０へ導かれる。また、このＡＭアンテナ部６５は携帯電話用のストラップ６６の先端の止め具６７内に形成されているので、外見上のデザインが良好である。
【００６９】
なお、携帯機器をズボンのポケットに収納し、ストラップ６６の先端の止め具６７をズボンのベルト通しに止めることにより、ＡＭアンテナ部６５は、本体１から離すことができる。これにより、電車内でＡＭ放送を楽しむことができる。
【産業上の利用可能性】
【００７０】
本発明にかかる携帯機器は、ＡＭアンテナへの携帯機器自身からのノイズの侵入を抑圧するので、ＡＭ受信器付きの携帯機器等として有用である。
【図面の簡単な説明】
【００７１】
【図１】本発明の実施の形態１における携帯機器の斜視図
【図２】同、ブロック図
【図３】同、実施の形態２における展開した携帯機器の斜視図
【図４】同、閉成した携帯機器の斜視図
【図５】同、実施の形態３における携帯機器の斜視図
【図６】同、実施の形態４における携帯機器の斜視図
【図７】同、実施の形態５における携帯機器の斜視図
【図８】同、実施の形態６における携帯機器の斜視図
【図９】同、実施の形態７における携帯機器の斜視図
【図１０】同、実施の形態８における携帯機器の斜視図
【符号の説明】
【００７２】
１  本体
４  表示部
８  ＡＭアンテナ
１６  制御部
２０  ＡＭ受信器
３３  ドライバ
３４  接続線
【図１】
2006050305.tif 000003
【図２】
2006050305.tif 000004
【図３】
2006050305.tif 000005
【図４】
2006050305.tif 000006
【図５】
2006050305.tif 000007
【図６】
2006050305.tif 000008
【図７】
2006050305.tif 000009
【図８】
2006050305.tif 000010
【図９】
2006050305.tif 000011
【図１０】
2006050305.tif 000012